(57)【要約】  異なるＲＡＴを利用した複数の無線通信システムの間のデュアルコネクティビティにおける相互変調歪みによる干渉を抑止するための技術を提供することである。本発明の一態様は、第１の無線通信システムと第２の無線通信システムとの間のデュアルコネクティビティにおいて、デバイス内干渉を受けるサービングキャリアを示す被干渉キャリア情報を含む干渉通知を生成する干渉通知生成部と、前記干渉通知を基地局に送信する送受信部とを有するユーザ装置に関する。
2018230361.tif 000002
【特許請求の範囲】
【請求項１】
第１の無線通信システムと第２の無線通信システムとの間のデュアルコネクティビティにおいて、デバイス内干渉を受けるサービングキャリアを示す被干渉キャリア情報を含む干渉通知を生成する干渉通知生成部と、
前記干渉通知を基地局に送信する送受信部と、
を有するユーザ装置。
【請求項２】
前記送受信部は、前記干渉通知を前記デュアルコネクティビティにおけるマスタ基地局に送信する、請求項１記載のユーザ装置。
【請求項３】
前記送受信部は、前記デュアルコネクティビティにおけるマスタ基地局の無線通信システムに関する被干渉キャリア情報を示す干渉通知を前記マスタ基地局に送信し、前記デュアルコネクティビティにおけるセカンダリ基地局の無線通信システムに関する被干渉キャリア情報を示す干渉通知を前記セカンダリ基地局に送信する、請求項１記載のユーザ装置。
【請求項４】
前記送受信部は、前記デュアルコネクティビティにおける一方の基地局の無線通信システムに関する被干渉キャリア情報を示す干渉通知に、前記デュアルコネクティビティにおける他方の基地局の無線通信システムに関する被干渉キャリア情報を示す干渉通知を含めることによって、前記一方の基地局の干渉通知と前記他方の基地局の干渉通知とを前記一方の基地局に送信する、請求項１記載のユーザ装置。
【請求項５】
前記送受信部は、干渉を受けるサービングキャリア又は干渉を与えるサービングキャリアを提供する基地局に前記干渉通知を送信する、請求項１記載のユーザ装置。
【請求項６】
前記被干渉キャリア情報は、前記干渉を受けるサービングキャリアのセル識別情報を含む、請求項１乃至５何れか一項記載のユーザ装置。
【請求項７】
前記干渉通知は更に、前記干渉を与えるサービングキャリアを示す与干渉キャリア情報を含む、請求項１乃至６何れか一項記載のユーザ装置。
【発明の詳細な説明】
【技術分野】
【０００１】
本発明は、無線通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＬＴＥ（Ｌｏｎｇ  Ｔｅｒｍ  Ｅｖｏｌｕｔｉｏｎ）システム及びＬＴＥ−Ａｄｖａｎｃｅｄシステムの後継として、ＮＲ（Ｎｅｗ  Ｒａｄｉｏ  Ａｃｃｅｓｓ  Ｔｅｃｈｎｏｌｏｇｙ）システムと呼ばれる新たな無線通信システムの仕様策定が進められている。【０００３】
ＮＲシステムでは、ＬＴＥシステムにおけるデュアルコネクティビティと同様に、ＬＴＥシステムの基地局（ｅＮＢ）とＮＲシステムの基地局（ｇＮＢ）との間でデータを分割し、これらの基地局によってデータを同時送受信するＬＴＥ−ＮＲデュアルコネクティビティの導入が検討されている。
【先行技術文献】
【非特許文献】
【０００４】
【非特許文献１】３ＧＰＰ  ＴＲ  ３８．８０４  Ｖ１４．０．０（２０１７−０３）
【非特許文献２】３ＧＰＰ  ＴＳ  ３７．３４０  Ｖ０．１．１（２０１７−０６）
【発明の概要】
【発明が解決しようとする課題】
【０００５】
ＬＴＥ−ＮＲデュアルコネクティビティでは、２つ以上のアップリンク送信において相互変調歪み（Ｉｎｔｅｒ−Ｍｏｄｕｌａｔｉｏｎ  Ｄｉｓｔｏｒｔｉｏｎ：ＩＭＤ）及び高調波が発生しうる。この場合、発生したＩＭＤ及び高調波は、ユーザ装置（Ｕｓｅｒ  Ｅｑｕｉｐｍｅｎｔ：ＵＥ）におけるＬＴＥコンポーネントキャリア又はＮＲコンポーネントキャリアのダウンリンク受信帯域に落ち込み、ユーザ装置内において干渉（デバイス内干渉）を引き起こすおそれがある。特に、ＮＲシステムは、２８ＧＨｚ帯などの広帯域な帯域幅を利用するため、ＩＭＤの影響を受けやすい。【０００６】
また、ＬＴＥシステムとＮＲシステムと間のデュアルコネクティビティに限定されず、異なるＲＡＴが適用された複数の無線通信システムの間のデュアルコネクティビティにおいても、２つ以上のアップリンク送信によるＩＭＤ、高調波などが受信帯域に落ち込み、デバイス内干渉を生じさせる可能性が考えられる。【０００７】
上述した問題点を鑑み、本発明の課題は、異なるＲＡＴを利用した複数の無線通信システムの間のデュアルコネクティビティにおけるデバイス内干渉を抑止するための技術を提供することである。
【課題を解決するための手段】
【０００８】
上記課題を解決するため、本発明の一態様は、第１の無線通信システムと第２の無線通信システムとの間のデュアルコネクティビティにおいて、デバイス内干渉を受けるサービングキャリアを示す被干渉キャリア情報を含む干渉通知を生成する干渉通知生成部と、前記干渉通知を基地局に送信する送受信部とを有するユーザ装置に関する。
【発明の効果】
【０００９】
本発明によると、異なるＲＡＴを利用した複数の無線通信システムの間のデュアルコネクティビティにおけるデバイス内干渉を抑止することができる。
【図面の簡単な説明】
【００１０】
【図１】図１は、ＬＴＥ−ＮＲデュアルコネクティビティにおける相互変調歪み（ＩＭＤ）の組み合わせを示す図である。
【図２】図２は、本発明の一実施例による無線通信システムを示す概略図である。
【図３】図３は、本発明の一実施例によるユーザ装置の機能構成を示すブロック図である。
【図４】図４は、本発明の一実施例によるＬＴＥ−ＮＲデュアルコネクティビティにおけるＩＤＣ通知設定手順を示す概略図である。
【図５】図５は、本発明の一実施例によるＬＴＥ−ＮＲデュアルコネクティビティにおけるＩＤＣ通知設定手順を示すシーケンス図である。
【図６】図６は、本発明の一実施例によるＬＴＥ−ＮＲデュアルコネクティビティにおけるＩＤＣ通知設定手順を示す概略図である。
【図７】図７は、本発明の一実施例によるＬＴＥ−ＮＲデュアルコネクティビティにおけるＩＤＣ通知設定手順を示すシーケンス図である。
【図８】図８は、本発明の一実施例によるＬＴＥ−ＮＲデュアルコネクティビティにおけるＩＤＣ通知設定手順を示す概略図である。
【図９】図９は、本発明の一実施例によるＬＴＥ−ＮＲデュアルコネクティビティにおけるＩＤＣ通知設定手順を示す概略図である。
【図１０】図１０は、本発明の一実施例によるＬＴＥ側のシグナリング例を示す図である。
【図１１】図１１は、本発明の一実施例によるＬＴＥ側のシグナリング例を示す図である。
【図１２】図１２は、本発明の一実施例によるＮＲ側のシグナリング例を示す図である。
【図１３】図１３は、本発明の一実施例によるＮＲ側のシグナリング例を示す図である。
【図１４】図１４は、本発明の一実施例によるＬＴＥ側のシグナリング例を示す図である。
【図１５】図１５は、本発明の一実施例によるＮＲ側のシグナリング例を示す図である。
【図１６】図１６は、本発明の一実施例によるユーザ装置及び基地局のハードウェア構成を示すブロック図である。
【発明を実施するための形態】
【００１１】
以下、図面に基づいて本発明の実施の形態を説明する。
【００１２】
以下の実施例では、異なるＲＡＴを利用した複数の無線通信システムの間のデュアルコネクティビティ、すなわち、マルチＲＡＴデュアルコネクティビティをサポートするユーザ装置が開示される。
【００１３】
後述される実施例では、ＬＴＥシステムとＮＲシステムとの間のデュアルコネクティビティ（ＬＴＥ−ＮＲデュアルコネクティビティ）における相互変調歪み（ＩＭＤ）、高調波などによって生じるデバイス内干渉が説明される。ＬＴＥ−ＮＲデュアルコネクティビティでは、図１に示されるようなデバイス内干渉が発生する４つの典型的なケースが考えられる。
【００１４】
ケース１では、ＬＴＥシステムのアップリンクキャリア（ＬＴＥ  ＵＬ１）とＮＲシステムのアップリンクキャリア（ＮＲ  ＵＬ２）とによるアップリンクデュアルコネクティビティ（ＬＴＥ  ＵＬ１＋ＮＲ  ＵＬ２）において、ＬＴＥ  ＵＬ１とＮＲ  ＵＬ２との組み合わせによる相互変調歪み及び／又はＬＴＥ  ＵＬ１、若しくはＮＲ  ＵＬ２の送信による高調波が、ＮＲシステムのダウンリンクキャリア（ＮＲ  ＤＬ）に落ち込み、ＮＲ  ＤＬにデバイス内干渉を引き起こす。
【００１５】
ケース２では、ＬＴＥシステムのアップリンクキャリア（ＬＴＥ  ＵＬ１）とＮＲシステムのアップリンクキャリア（ＮＲ  ＵＬ２）とによるアップリンクデュアルコネクティビティ（ＬＴＥ  ＵＬ１＋ＮＲ  ＵＬ２）において、ＬＴＥ  ＵＬ１とＮＲ  ＵＬ２との組み合わせによる相互変調歪み及び／又はＬＴＥ  ＵＬ１、若しくはＮＲ  ＵＬ２の送信による高調波が、ＬＴＥシステムのダウンリンクキャリア（ＬＴＥ  ＤＬ）に落ち込み、ＬＴＥ  ＤＬにデバイス内干渉を引き起こす。
【００１６】
ケース３では、ＬＴＥシステムのアップリンクキャリア（ＬＴＥ  ＵＬ）とＮＲシステムの２つのアップリンクキャリア（ＮＲ  ＵＬ１，ＮＲ  ＵＬ２）とによるアップリンクデュアルコネクティビティ（ＬＴＥ  ＵＬ＋ＮＲ  ＵＬ１＋ＮＲ  ＵＬ２）において、ＮＲ  ＵＬ１とＮＲ  ＵＬ２との組み合わせによる相互変調歪み及び／又はＮＲ  ＵＬ１、若しくはＮＲ  ＵＬ２の送信による高調波が、ＬＴＥシステムのダウンリンクキャリア（ＬＴＥ  ＤＬ）に落ち込み、ＬＴＥ  ＤＬにデバイス内干渉を引き起こす。
【００１７】
ケース４では、ＬＴＥシステムの２つのアップリンクキャリア（ＬＴＥ  ＵＬ１，ＬＴＥ  ＵＬ２）とＮＲシステムのアップリンクキャリア（ＮＲ  ＵＬ）とによるアップリンクデュアルコネクティビティ（ＬＴＥ  ＵＬ１＋ＬＴＥ  ＵＬ２＋ＮＲ  ＵＬ）において、ＬＴＥ  ＵＬ１とＬＴＥ  ＵＬ２との組み合わせによる相互変調歪み及び／又はＬＴＥ  ＵＬ１、若しくはＬＴＥ  ＵＬ２の送信による高調波が、ＮＲシステムのダウンリンクキャリア（ＮＲ  ＤＬ）に落ち込み、ＮＲ  ＤＬにデバイス内干渉を引き起こす。
【００１８】
上述したようなＬＴＥ−ＮＲデュアルコネクティビティにおける相互変調歪み、高調波などによって生じるデバイス内干渉を抑止するため、本開示によるユーザ装置は、相互変調歪み、高調波などによって干渉を受けるダウンリンクサービングキャリアを示す被干渉キャリア情報を含む干渉通知を基地局に送信する。当該干渉通知を受信すると、基地局は、被干渉キャリア情報に示されるキャリアにデバイス内干渉を生じさせるアップリンクサービングキャリアの組み合わせを特定し、被干渉キャリアに干渉を生じさせないキャリアの組み合わせによってアップリンクデュアルコネクティビティを継続するなど、ユーザ装置に対して干渉抑止制御を実行することができる。
【００１９】
まず、図２を参照して、本発明の一実施例による無線通信システムを説明する。図２は、本発明の一実施例による無線通信システムを示す概略図である。
【００２０】
図２に示されるように、ユーザ装置１００は、ＬＴＥシステム及びＮＲシステムによって提供される基地局２０１，２０２（以降、基地局２００として参照されてもよい）と通信接続すると共に、基地局２０１をマスタ基地局とし、基地局２０２をセカンダリ基地局とするＬＴＥ−ＮＲデュアルコネクティビティをサポートする。すなわち、ユーザ装置１００は、マスタ基地局２０１及びセカンダリ基地局２０２により提供される複数のコンポーネントキャリアを同時に利用して、マスタ基地局２０１及びセカンダリ基地局２０２と同時送信又は受信を実行することが可能である。なお、図示された実施例では、ＬＴＥシステム及びＮＲシステムはそれぞれ１つの基地局しか有していないが、一般に、ＬＴＥシステム及びＮＲシステムのサービスエリアをカバーするよう多数の基地局が配置される。
【００２１】
なお、以下の実施例は、ＬＴＥ−ＮＲデュアルコネクティビティに関して説明されるが、本開示によるユーザ装置は、これに限定されず、異なるＲＡＴを利用した複数の無線通信システムの間のデュアルコネクティビティ、すなわち、マルチＲＡＴデュアルコネクティビティに適用可能であることは当業者に容易に理解されるであろう。
【００２２】
次に、図３を参照して、本発明の一実施例によるユーザ装置を説明する。図３は、本発明の一実施例によるユーザ装置の機能構成を示すブロック図である。
【００２３】
図３に示されるように、ユーザ装置１００は、干渉通知生成部１１０及び送受信部１２０を有する。
【００２４】
干渉通知生成部１１０は、第１の無線通信システムと第２の無線通信システムとの間のデュアルコネクティビティにおいて、デバイス内干渉を受けるサービングキャリアを示す被干渉キャリア情報を含む干渉通知を生成する。具体的には、ＬＴＥシステムとＮＲシステムとの間のＬＴＥ−ＮＲデュアルコネクティビティにおいて、アップリンクコンポーネントキャリアの組み合わせ（例えば、図１に示される実施例におけるＬＴＥ  ＵＬ＋ＮＲ  ＵＬ、ＬＴＥ  ＵＬ１＋ＬＴＥ  ＵＬ２、ＮＲ  ＵＬ１＋ＮＲ  ＵＬ２など）によって発生した相互変調歪み、高調波などがユーザ装置１００内においてダウンリンクコンポーネントキャリアに干渉（すなわち、デバイス内干渉）を生じさせることを検出すると、干渉通知生成部１１０は、干渉を受けているダウンリンクコンポーネントキャリアを示す被干渉キャリア情報を含む干渉通知（"ＩｎＤｅｖｉｃｅＣｏｅｘＩｎｄｉｃａｔｉｏｎ"）を生成する。
【００２５】
送受信部１２０は、生成された干渉通知を基地局２０１又は２０２に送信する。具体的には、送受信部１２０がデバイス内干渉による被干渉キャリア及び／又は与干渉キャリアを示す干渉通知をユーザ装置１００に報告させるための干渉報告設定（"ＯｔｈｅｒＣｏｎｆｉｇ"における"ｉｄｃ−Ｉｎｄｉｃａｔｉｏｎ−ＭＲ−ＤＣ"）を受信すると、干渉通知生成部１１０は、アップリンクコンポーネントキャリアの組み合わせによる相互変調歪み、高調波などから生じるデバイス内干渉の検出を開始し、アップリンクコンポーネントキャリアの組み合わせによるデバイス内干渉を検出すると、被干渉キャリア情報を含む干渉通知を生成する。そして、送受信部１２０が生成された干渉通知を基地局２０１又は２０２に送信すると、基地局２０１又は２０２は、受信した干渉通知における被干渉キャリア情報に基づき、被干渉キャリアと当該被干渉キャリアにデバイス内干渉を引き起こすアップリンクコンポーネントキャリアの組み合わせとを特定する。
【００２６】
この場合、例えば、基地局２０１又は２０２は、アップリンクコンポーネントキャリアの組み合わせと、当該組み合わせによりデバイス内干渉が生じるダウンリンクコンポーネントキャリアとのペアを示す関連付け情報を予め保持してもよい。基地局２０１又は２０２は、当該関連付け情報を参照して、ユーザ装置１００から報告された被干渉キャリアに対応するアップリンクコンポーネントキャリアを与干渉キャリアとして特定し、ユーザ装置１００に対して干渉抑止制御を実行してもよい。例えば、基地局２０１又は２０２は、デバイス内干渉が報告された被干渉キャリアに落ち込まない周波数領域又はコンポーネントキャリアを再割当てすることによって、アップリンクデュアルコネクティビティを継続してもよいし、あるいは、アップリンクデュアルコネクティビティにおけるセカンダリセルを非アクティブ化（ｄｅａｃｔｉｖａｔｉｏｎ）又は非設定（ｄｅｃｏｎｆｉｇｕｒａｔｉｏｎ）してもよい。あるいは、基地局２０１又は２０２は、異なる周波数のプライマリセル及び／又はセカンダリセルを再設定してもよい。
【００２７】
その後、ユーザ装置１００におけるデバイス内干渉が解消されると、干渉通知生成部１１０は、例えば、エンプティの干渉通知を生成し、送受信部１２０は、当該干渉通知を基地局２０１又は２０２に送信する。当該エンプティの干渉通知を受信すると、基地局２０１又は２０２は、ユーザ装置１００におけるデバイス内干渉が解消されたと判断することができる。
【００２８】
一実施例では、被干渉キャリア情報は、干渉を受けるサービングキャリアのセル識別情報を含むものであってもよい。例えば、セル識別情報は、当該被干渉サービングキャリアのサービングセルインデックスであってもよい。あるいは、セル識別情報は、ユーザ装置１００が当該キャリアを測定するのに必要な情報を示すメジャメントオブジェクト、当該キャリアの中心周波数、当該中心周波数を特定する何れかの情報（例えば、ＬＴＥシステムにおけるＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）など）などであってもよい。例えば、基地局２０１又は２０２は、各サービングセル又は各メジャメントオブジェクトの中心周波数及び帯域幅を予め把握し、受信したセル識別情報により示されるサービングセル又はメジャメントオブジェクトの中心周波数及び帯域幅を特定する。基地局２０１又は２０２は、特定した中心周波数及び帯域幅に基づき当該被干渉コンポーネントキャリアにデバイス内干渉を引き起こすアップリンクコンポーネントキャリアの組み合わせを特定することができる。本実施例によると、ユーザ装置１００が与干渉キャリア情報を送信することなく、基地局２０１又２０２は、被干渉キャリア情報から与干渉キャリアを特定することが可能になる。
【００２９】
また、一実施例では、被干渉キャリア情報は、被干渉キャリア内の特定の物理リソースブロック（ＰＲＢ）、物理リソースエレメント（ＰＲＥ）などを含むものであってもよい。すなわち、干渉通知生成部１１０は、被干渉キャリアより細かい粒度で被干渉周波数領域を示すことが可能になり、当該被干渉キャリア情報を受信した基地局２０１又は２０２は、より適切な干渉抑止制御を実行することが可能になる。
【００３０】
また、一実施例では、干渉通知は更に、干渉を与えるサービングキャリアを示す与干渉キャリア情報を含むものであってもよい。すなわち、干渉通知生成部１１０は、干渉を与えるサービングキャリアの組み合わせを示す与干渉キャリア情報を干渉通知に更に含めてもよい。具体的には、与干渉キャリア情報は、デバイス内干渉を生じさせるアップリンクコンポーネントキャリアの組み合わせを示すものであり、例えば、各アップリンクコンポーネントキャリアのメジャメントオブジェクト、中心周波数、当該中心周波数を特定する何れかの情報（例えば、ＬＴＥシステムにおけるＥＡＲＦＣＮなど）などであってもよい。
【００３１】
次に、図４〜５を参照して、本発明の一実施例によるＬＴＥ−ＮＲデュアルコネクティビティにおける干渉通知設定手順を説明する。本実施例では、マスタ基地局２０１が、ＬＴＥ−ＮＲデュアルコネクティビティにおいてＬＴＥコンポーネントキャリア及びＮＲコンポーネントキャリアの双方のデバイス内干渉を報告するようユーザ装置１００に設定する。ユーザ装置１００は、ＬＴＥコンポーネントキャリア及びＮＲコンポーネントキャリアの双方について干渉を検出し、送受信部１２０は、被干渉キャリア情報及び／又は与干渉キャリア情報を含む干渉通知（図示される具体例では、ＩｎＤｅｖｉｃｅＣｏｅｘＩｎｄｉｃａｔｉｏｎ（ＩＤＣ））をマスタ基地局２０１に送信する。
【００３２】
図４は、本発明の一実施例によるＬＴＥ−ＮＲデュアルコネクティビティにおけるＩＤＣ通知設定手順を示す概略図である。当該ＩＤＣ通知設定手順は、例えば、ＬＴＥ−ＮＲデュアルコネクティビティが設定されたことに応答して開始されてもよい。なお、マスタ基地局２０１及びセカンダリ基地局２０２はそれぞれＬＴＥシステム及びＮＲシステムに属してもよく、あるいは、マスタ基地局２０１及びセカンダリ基地局２０２はそれぞれＮＲシステム及びＬＴＥシステムに属してもよい。
【００３３】
図４に示されるように、ステップＳ１０１において、マスタ基地局２０１は、ＬＴＥコンポーネントキャリアとＮＲコンポーネントキャリアとの双方についてデバイス内干渉を検出し、検出した被干渉キャリア及び／又は与干渉キャリアを示す干渉通知を報告するようユーザ装置１００に設定する。
【００３４】
ステップＳ１０２において、デバイス内干渉を検出すると、ユーザ装置１００は、検出した被干渉キャリア及び／又は与干渉キャリアを示す干渉通知をマスタ基地局２０１に送信する。例えば、ユーザ装置１００は、被干渉キャリアのサービングセルインデックスと与干渉キャリアのメジャメントオブジェクトとをそれぞれ被干渉キャリア情報及び与干渉キャリア情報としてマスタ基地局２０１に報告してもよい。なお、上述したように、マスタ基地局２０１がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみをマスタ基地局２０１に送信してもよい。
【００３５】
ステップＳ１０３において、マスタ基地局２０１は、受信した干渉通知に基づき適切な干渉抑止制御を実行すると共に、ユーザ装置１００から受信した干渉情報をセカンダリ基地局２０２に転送し、適切な干渉抑止制御を実行するようセカンダリ基地局２０２に指示する。
【００３６】
図５は、本発明の一実施例によるＬＴＥ−ＮＲデュアルコネクティビティにおけるＩＤＣ通知設定手順を示すシーケンス図である。当該ＩＤＣ通知設定手順は、例えば、ＬＴＥ−ＮＲデュアルコネクティビティが設定されたことに応答して開始されてもよい。図示された実施例では、マスタ基地局（ＭＮ）２０１がＬＴＥシステムに属し、セカンダリ基地局（ＳＮ）２０２がＮＲシステムに属しているとする。しかしながら、他の実施例では、これに限定されるものでなく、マスタ基地局２０１がＮＲシステムに属し、セカンダリ基地局２０２がＬＴＥシステムに属してもよい。
【００３７】
図５に示されるように、ステップＳ２０１において、マスタ基地局（ＭＮ）２０１は、ＲＲＣ  Ｃｏｎｎｅｃｔｉｏｎ  Ｒｅｃｏｎｆｉｇｕｒａｔｉｏｎをユーザ装置１００に送信し、デバイス内干渉による被干渉キャリア及び／又は与干渉キャリアを示す干渉通知を報告するようユーザ装置１００に設定する（ＯｔｈｅｒＣｏｎｆｉｇ（ｉｄｃ−Ｉｎｄｉｃａｔｉｏｎ−ＭＲ−ＤＣ）。
【００３８】
ステップＳ２０２において、ユーザ装置１００は、当該設定の完了を示すＲＲＣ  Ｃｏｎｎｅｃｔｉｏｎ  Ｒｅｃｏｎｆｉｇｕｒａｔｉｏｎ  Ｃｏｍｐｌｅｔｅをマスタ基地局２０１に送信する。
【００３９】
ステップＳ２０３において、ユーザ装置１００は、アップリンクコンポーネントキャリアの組み合わせによるデバイス内干渉の検出を開始する。
【００４０】
ステップＳ２０４において、ユーザ装置１００は、アップリンクコンポーネントキャリアの組み合わせによるデバイス内干渉を検出する。
【００４１】
ステップＳ２０５において、ユーザ装置１００は、被干渉キャリアを示す被干渉キャリア情報（例えば、サービングセルインデックス、メジャメントオブジェクト又はＥＡＲＦＣＮなど）を含む干渉通知をマスタ基地局２０１に送信する。マスタ基地局２０１がＬＴＥシステムに属する本実施例では、ユーザ装置１００は、干渉を受けたＬＴＥコンポーネントキャリアだけでなくＮＲコンポーネントキャリアもマスタ基地局２０１に報告する。また、ユーザ装置１００は更に、与干渉キャリアを示す与干渉キャリア情報（例えば、与干渉アップリンクコンポーネントキャリアの組み合わせを示すサービングセルインデックス、メジャメントオブジェクト又はＥＡＲＦＣＮなど）を干渉通知に含めてもよい。被干渉キャリア情報と同様に、ユーザ装置１００は、干渉を与えたＬＴＥコンポーネントキャリアだけでなくＮＲコンポーネントキャリアもマスタ基地局２０１に報告する。
【００４２】
ステップＳ２０６において、マスタ基地局２０１は、受信した干渉通知に基づき適切な干渉抑止制御を実行すると共に、ユーザ装置１００から受信した干渉情報をセカンダリ基地局２０２に転送し、適切な干渉抑止制御を実行するようセカンダリ基地局２０２に指示する。
【００４３】
ステップＳ２０７において、マスタ基地局２０１及びセカンダリ基地局２０２は、ユーザ装置１００に対して適切な干渉抑止制御を実行する。
【００４４】
ステップＳ２０８において、デバイス内干渉の解消を検知すると、ユーザ装置１００は、エンプティのＩＤＣ通知を送信することによって、デバイス内干渉が解消されたことをマスタ基地局２０１に報告する。
【００４５】
次に、図６〜７を参照して、本発明の一実施例によるＬＴＥ−ＮＲデュアルコネクティビティにおける干渉通知設定手順を説明する。本実施例では、マスタ基地局２０１及びセカンダリ基地局２０２がそれぞれ、ＬＴＥ−ＮＲデュアルコネクティビティにおいて、マスタ基地局２０１が属する無線通信システムのコンポーネントキャリア及びセカンダリ基地局２０２が属する無線通信システムのコンポーネントキャリアについてデバイス内干渉を報告するようユーザ装置１００に設定する。この場合、送受信部１２０は、マスタ基地局２０１の無線通信システムに関する被干渉キャリア情報及び／又は与干渉キャリア情報を示す干渉通知をマスタ基地局２０１に送信し、セカンダリ基地局２０２の無線通信システムに関する被干渉キャリア情報及び／又は与干渉キャリア情報を示す干渉通知をセカンダリ基地局２０２に送信する。例えば、マスタ基地局２０１がＬＴＥシステムに属し、セカンダリ基地局２０２がＮＲシステムに属する場合、ユーザ装置１００は、ＬＴＥコンポーネントキャリアに関する被干渉キャリア情報及び／又は与干渉キャリア情報を含む干渉通知をマスタ基地局２０１に送信し、ＮＲコンポーネントキャリアに関する被干渉キャリア情報及び／又は与干渉キャリア情報を含む干渉通知をセカンダリ基地局２０２に送信する。
【００４６】
図６は、本発明の一実施例によるＬＴＥ−ＮＲデュアルコネクティビティにおけるＩＤＣ通知設定手順を示す概略図である。当該ＩＤＣ通知設定手順は、例えば、ＬＴＥ−ＮＲデュアルコネクティビティが設定されたことに応答して開始されてもよい。なお、マスタ基地局２０１及びセカンダリ基地局２０２がそれぞれＬＴＥシステム及びＮＲシステムに属してもよく、あるいは、マスタ基地局２０１及びセカンダリ基地局２０２がそれぞれＮＲシステム及びＬＴＥシステムに属してもよい。
【００４７】
図６に示されるように、ステップＳ３０１ａにおいて、マスタ基地局２０１は、マスタ基地局２０１が属する無線通信システムのコンポーネントキャリアについてデバイス内干渉を検出し、検出した被干渉キャリア及び／又は与干渉キャリアを示す干渉通知を報告するようユーザ装置１００に設定する。
【００４８】
ステップＳ３０１ｂにおいて、セカンダリ基地局２０２は、セカンダリ基地局２０２が属する無線通信システムのコンポーネントキャリアについてデバイス内干渉を検出し、検出した被干渉キャリア及び／又は与干渉キャリアを示す干渉通知を報告するようユーザ装置１００に設定する。
【００４９】
ステップＳ３０２ａにおいて、マスタ基地局２０１が属する無線通信システムのコンポーネントキャリアについてデバイス内干渉を検出すると、ユーザ装置１００は、検出した被干渉キャリア及び／又は与干渉キャリアを示す干渉通知をマスタ基地局２０１に送信する。例えば、ユーザ装置１００は、被干渉キャリアのサービングセルインデックスと与干渉キャリアのメジャメントオブジェクトとをそれぞれ被干渉キャリア情報及び与干渉キャリア情報としてマスタ基地局２０１に報告してもよい。例えば、マスタ基地局２０１がＬＴＥシステムに属する場合、ユーザ装置１００は、被干渉ＬＴＥコンポーネントキャリア及び／又は与干渉ＬＴＥコンポーネントキャリアを示す干渉通知をマスタ基地局２０１に送信する。なお、上述したように、マスタ基地局２０１がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみをマスタ基地局２０１に送信してもよい。
【００５０】
ステップＳ３０２ｂにおいて、セカンダリ基地局２０２が属する無線通信システムのコンポーネントキャリアについてデバイス内干渉を検出すると、ユーザ装置１００は、検出した被干渉キャリア及び／又は与干渉キャリアを示す干渉通知をセカンダリ基地局２０２に送信する。例えば、ユーザ装置１００は、被干渉キャリアのサービングセルインデックスと与干渉キャリアのメジャメントオブジェクトとをそれぞれ被干渉キャリア情報及び与干渉キャリア情報としてセカンダリ基地局２０２に報告してもよい。例えば、セカンダリ基地局２０２がＮＲシステムに属する場合、ユーザ装置１００は、被干渉ＮＲコンポーネントキャリア及び／又は与干渉ＮＲコンポーネントキャリアを示す干渉通知をセカンダリ基地局２０２に送信する。なお、上述したように、セカンダリ基地局２０２がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみをセカンダリ基地局２０２に送信してもよい。
【００５１】
ステップＳ３０３ａにおいて、マスタ基地局２０１は、受信した干渉通知に基づき適切な干渉抑止制御を実行する。
【００５２】
ステップＳ３０３ｂにおいて、セカンダリ基地局２０２は、受信した干渉情報に基づき適切な干渉抑止制御を実行するようセカンダリ基地局２０２に指示する。
【００５３】
図７は、本発明の一実施例によるＬＴＥ−ＮＲデュアルコネクティビティにおけるＩＤＣ通知設定手順を示すシーケンス図である。当該ＩＤＣ通知設定手順は、例えば、ＬＴＥ−ＮＲデュアルコネクティビティが設定されたことに応答して開始されてもよい。図示された実施例では、マスタ基地局（ＭＮ）２０１がＬＴＥシステムに属し、セカンダリ基地局（ＳＮ）２０２がＮＲシステムに属しているとする。しかしながら、他の実施例では、これに限定されるものでなく、マスタ基地局２０１がＮＲシステムに属し、セカンダリ基地局２０２がＬＴＥシステムに属してもよい。
【００５４】
図７に示されるように、ステップＳ４０１において、マスタ基地局（ＭＮ）２０１は、ＲＲＣ  Ｃｏｎｎｅｃｔｉｏｎ  Ｒｅｃｏｎｆｉｇｕｒａｔｉｏｎをユーザ装置１００に送信し、ＬＴＥコンポーネントキャリアについてデバイス内干渉による被干渉キャリア及び／又は与干渉キャリアを示す干渉通知を報告するようユーザ装置１００に設定する（ＯｔｈｅｒＣｏｎｆｉｇ（ｉｄｃ−Ｉｎｄｉｃａｔｉｏｎ−ＭＲ−ＤＣ））。
【００５５】
ステップＳ４０２において、ユーザ装置１００は、当該設定の完了を示すＲＲＣ  Ｃｏｎｎｅｃｔｉｏｎ  Ｒｅｃｏｎｆｉｇｕｒａｔｉｏｎ  Ｃｏｍｐｌｅｔｅをマスタ基地局２０１に送信する。
【００５６】
ステップＳ４０３において、ユーザ装置１００は、ＬＴＥシステムに関してアップリンクコンポーネントキャリアの組み合わせによるデバイス内干渉の検出を開始する。
【００５７】
ステップＳ４０４において、セカンダリ基地局（ＳＮ）２０２は、ＲＲＣ  Ｃｏｎｎｅｃｔｉｏｎ  Ｒｅｃｏｎｆｉｇｕｒａｔｉｏｎをユーザ装置１００に送信し、ＮＲコンポーネントキャリアについてデバイス内干渉による被干渉キャリア及び／又は与干渉キャリアを示す干渉通知を報告するようユーザ装置１００に設定する（ＯｔｈｅｒＣｏｎｆｉｇ（ｉｄｃ−Ｉｎｄｉｃａｔｉｏｎ−ＭＲ−ＤＣ））。
【００５８】
ステップＳ４０５において、ユーザ装置１００は、当該設定の完了を示すＲＲＣ  Ｃｏｎｎｅｃｔｉｏｎ  Ｒｅｃｏｎｆｉｇｕｒａｔｉｏｎ  Ｃｏｍｐｌｅｔｅをセカンダリ基地局２０２に送信する。
【００５９】
ステップＳ４０６において、ユーザ装置１００は、ＮＲシステムに関してアップリンクコンポーネントキャリアの組み合わせによるデバイス内干渉の検出を開始する。
【００６０】
ステップＳ４０７において、ユーザ装置１００は、ＬＴＥシステムに関してアップリンクコンポーネントキャリアの組み合わせによるデバイス内干渉を検出する。
【００６１】
ステップＳ４０８において、ユーザ装置１００は、被干渉ＬＴＥコンポーネントキャリアを示す被干渉キャリア情報（例えば、サービングセルインデックス、メジャメントオブジェクト又はＥＡＲＦＣＮなど）を含む干渉通知をマスタ基地局２０１に送信する。また、ユーザ装置１００は更に、与干渉ＬＴＥコンポーネントキャリアを示す与干渉キャリア情報（例えば、与干渉アップリンクＬＴＥコンポーネントキャリアの組み合わせを示すサービングセルインデックス、メジャメントオブジェクト又はＥＡＲＦＣＮなど）を干渉通知に含めてもよい。
【００６２】
ステップＳ４０９において、ユーザ装置１００は、ＮＲシステムに関してアップリンクコンポーネントキャリアの組み合わせによるデバイス内干渉を検出する。
【００６３】
ステップＳ４１０において、ユーザ装置１００は、被干渉ＮＲコンポーネントキャリアを示す被干渉キャリア情報（例えば、サービングセルインデックス、メジャメントオブジェクト又はメジャメントオブジェクトを特定する情報など）を含む干渉通知をセカンダリ基地局２０２に送信する。また、ユーザ装置１００は更に、与干渉ＮＲコンポーネントキャリアを示す与干渉キャリア情報（例えば、与干渉アップリンクＮＲコンポーネントキャリアの組み合わせを示すサービングセルインデックス、メジャメントオブジェクト又はメジャメントオブジェクトを特定する情報など）を干渉通知に含めてもよい。
【００６４】
ステップＳ４１１において、マスタ基地局２０１及びセカンダリ基地局２０２は、受信した干渉通知に基づき適切な干渉抑止制御を実行する。
【００６５】
ステップＳ４１２において、ＬＴＥシステムにおけるデバイス内干渉の解消を検知すると、ユーザ装置１００は、エンプティのＩＤＣ通知を送信することによって、ＬＴＥコンポーネントキャリアについてデバイス内干渉が解消されたことをマスタ基地局２０１に報告する。
【００６６】
ステップＳ４１３において、ＮＲシステムにおけるデバイス内干渉の解消を検知すると、ユーザ装置１００は、エンプティのＩＤＣ通知を送信することによって、ＮＲコンポーネントキャリアについてデバイス内干渉が解消されたことをセカンダリ基地局２０２に報告する。
【００６７】
次に、図８を参照して、本発明の一実施例によるＬＴＥ−ＮＲデュアルコネクティビティにおける干渉通知設定手順を説明する。本実施例では、セカンダリ基地局２０２が、セカンダリ基地局２０２が属する無線通信システムのコンポーネントキャリアについてデバイス内干渉をユーザ装置１００に報告させるための干渉報告設定（例えば、ＲＲＣ又はＸ２／Ｘｎインタフェースによるｉｎｔｅｒ−ｎｏｄｅ  ｍｅｓｓａｇｅ）をマスタ基地局２０１に送信する。マスタ基地局２０１は、受信した干渉報告設定をＲＲＣ  Ｃｏｎｎｅｃｔｉｏｎ  Ｒｅｃｏｎｆｉｇｕｒａｔｉｏｎを含めると共に、当該ＲＲＣ  Ｃｏｎｎｅｃｔｉｏｎ  Ｒｅｃｏｎｆｉｇｕｒａｔｉｏｎにおいてマスタ基地局２０１が属する無線通信システムのコンポーネントキャリアについてデバイス内干渉を報告するようユーザ装置１００に設定する。この場合、送受信部１２０は、マスタ基地局２０１の無線通信システムに関する被干渉キャリア情報及び／又は与干渉キャリア情報を示す干渉通知に、セカンダリ基地局２０２の無線通信システムに関する被干渉キャリア情報及び／又は与干渉キャリア情報を示す干渉通知を含めることによって、マスタ基地局２０１用の干渉通知（ＩＤＣ）とセカンダリ基地局２０２用の干渉通知（ＩＤＣ）とをマスタ基地局２０１に送信する。すなわち、本実施例では、マスタ基地局２０１用の干渉通知とセカンダリ基地局２０２用の干渉通知とが個別に生成され、セカンダリ基地局２０２用の干渉通知は、マスタ基地局２０１用の干渉通知にカプセル化され、マスタ基地局２０１を経由してセカンダリ基地局２０２に送信される。
【００６８】
図８は、本発明の一実施例によるＬＴＥ−ＮＲデュアルコネクティビティにおけるＩＤＣ通知設定手順を示す概略図である。当該ＩＤＣ通知設定手順は、例えば、ＬＴＥ−ＮＲデュアルコネクティビティが設定されたことに応答して開始されてもよい。なお、マスタ基地局２０１及びセカンダリ基地局２０２がそれぞれＬＴＥシステム及びＮＲシステムに属してもよく、あるいは、マスタ基地局２０１及びセカンダリ基地局２０２がそれぞれＮＲシステム及びＬＴＥシステムに属してもよい。
【００６９】
図８に示されるように、ステップＳ５０１において、セカンダリ基地局２０２は、セカンダリ基地局２０２が属する無線通信システムのコンポーネントキャリアについてデバイス内干渉をユーザ装置１００に報告させるための干渉報告設定（例えば、ＲＲＣ又はＸ２／Ｘｎインタフェースによるｉｎｔｅｒ−ｎｏｄｅ  ｍｅｓｓａｇｅ）をマスタ基地局２０１に送信する。
【００７０】
ステップＳ５０２において、マスタ基地局２０１は、マスタ基地局２０１が属する無線通信システムのコンポーネントキャリアについてデバイス内干渉を検出し、検出した被干渉キャリア及び／又は与干渉キャリアを示す干渉通知を報告するようユーザ装置１００に設定すると共に、セカンダリ基地局２０２から受信した干渉報告設定をユーザ装置１００に送信する。
【００７１】
ステップＳ５０３において、マスタ基地局２０１が属する無線通信システムのコンポーネントキャリアについてデバイス内干渉を検出すると、ユーザ装置１００は、検出した被干渉キャリア及び／又は与干渉キャリアを示すマスタ基地局２０１用の干渉通知を生成する。例えば、マスタ基地局２０１がＬＴＥシステムに属する場合、ユーザ装置１００は、被干渉ＬＴＥコンポーネントキャリア及び／又は与干渉ＬＴＥコンポーネントキャリアを示すマスタ基地局２０１用の干渉通知を生成する。なお、上述したように、マスタ基地局２０１がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみを含むマスタ基地局２０１用の干渉通知を生成してもよい。
【００７２】
また、セカンダリ基地局２０２が属する無線通信システムのコンポーネントキャリアについてデバイス内干渉を検出すると、ユーザ装置１００は、検出した被干渉キャリア及び／又は与干渉キャリアを示すセカンダリ基地局２０２用の干渉通知を生成する。例えば、セカンダリ基地局２０２がＮＲシステムに属する場合、ユーザ装置１００は、被干渉ＮＲコンポーネントキャリア及び／又は与干渉ＮＲコンポーネントキャリアを示すセカンダリ基地局２０２用の干渉通知を生成する。なお、上述したように、セカンダリ基地局２０２がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみを含むセカンダリ基地局２０２用の干渉通知を生成してもよい。
【００７３】
マスタ基地局２０１用の干渉通知とセカンダリ基地局２０２用の干渉通知とを生成した後、ユーザ装置１００は、セカンダリ基地局２０２用の干渉通知をマスタ基地局２０１用の干渉通知内にカプセル化又は含めることによって、個別に生成されたマスタ基地局２０１用の干渉通知とセカンダリ基地局２０２用の干渉通知とをマスタ基地局２０１に送信する。
【００７４】
ステップＳ５０４ａにおいて、マスタ基地局２０１は、受信したマスタ基地局２０１用の干渉通知からセカンダリ基地局２０２用の干渉通知を抽出し、抽出したセカンダリ基地局２０２用の干渉通知をセカンダリ基地局２０２に転送すると共に、マスタ基地局２０１用の干渉通知に基づき適切な干渉抑止制御を実行する。
【００７５】
ステップＳ５０４ｂにおいて、セカンダリ基地局２０２は、受信したセカンダリ基地局２０２用の干渉情報に基づき適切な干渉抑止制御を実行する。
【００７６】
次に、図９を参照して、本発明の一実施例によるＬＴＥ−ＮＲデュアルコネクティビティにおける干渉通知設定手順を説明する。本実施例では、マスタ基地局２０１が、マスタ基地局２０１が属する無線通信システムのコンポーネントキャリアについてデバイス内干渉をユーザ装置１００に報告させるための干渉報告設定（例えば、ＲＲＣ又はＸ２／Ｘｎインタフェースによるｉｎｔｅｒ−ｎｏｄｅ  ｍｅｓｓａｇｅ）をセカンダリ基地局２０２に送信する。セカンダリ基地局２０２は、受信した干渉報告設定をＲＲＣ  Ｃｏｎｎｅｃｔｉｏｎ  Ｒｅｃｏｎｆｉｇｕｒａｔｉｏｎを含めると共に、当該ＲＲＣ  Ｃｏｎｎｅｃｔｉｏｎ  Ｒｅｃｏｎｆｉｇｕｒａｔｉｏｎにおいてセカンダリ基地局２０２が属する無線通信システムのコンポーネントキャリアについてデバイス内干渉を報告するようユーザ装置１００に設定する。この場合、送受信部１２０は、セカンダリ基地局２０２の無線通信システムに関する被干渉キャリア情報及び／又は与干渉キャリア情報を示す干渉通知に、マスタ基地局２０１の無線通信システムに関する被干渉キャリア情報及び／又は与干渉キャリア情報を示す干渉通知を含めることによって、マスタ基地局２０１用の干渉通知（ＩＤＣ）とセカンダリ基地局２０２用の干渉通知（ＩＤＣ）とをセカンダリ基地局２０２に送信する。すなわち、本実施例では、マスタ基地局２０１用の干渉通知とセカンダリ基地局２０２用の干渉通知とが個別に生成され、マスタ基地局２０１用の干渉通知は、セカンダリ基地局２０２用の干渉通知にカプセル化され、セカンダリ基地局２０２を経由してマスタ基地局２０１に送信される。
【００７７】
図９は、本発明の一実施例によるＬＴＥ−ＮＲデュアルコネクティビティにおけるＩＤＣ通知設定手順を示す概略図である。当該ＩＤＣ通知設定手順は、例えば、ＬＴＥ−ＮＲデュアルコネクティビティが設定されたことに応答して開始されてもよい。なお、マスタ基地局２０１及びセカンダリ基地局２０２はそれぞれＬＴＥシステム及びＮＲシステムに属してもよく、あるいは、マスタ基地局２０１及びセカンダリ基地局２０２はそれぞれＮＲシステム及びＬＴＥシステムに属してもよい。
【００７８】
図９に示されるように、ステップＳ６０１において、マスタ基地局２０１は、マスタ基地局２０１が属する無線通信システムのコンポーネントキャリアについてデバイス内干渉をユーザ装置１００に報告させるための干渉報告設定（例えば、ＲＲＣ又はＸ２／Ｘｎインタフェースによるｉｎｔｅｒ−ｎｏｄｅ  ｍｅｓｓａｇｅ）をセカンダリ基地局２０２に送信する。
【００７９】
ステップＳ６０２において、セカンダリ基地局２０２は、セカンダリ基地局２０２が属する無線通信システムのコンポーネントキャリアについてデバイス内干渉を検出し、検出した被干渉キャリア及び／又は与干渉キャリアを示す干渉通知を報告するようユーザ装置１００に設定すると共に、マスタ基地局２０１から受信した干渉報告設定をユーザ装置１００に送信する。
【００８０】
ステップＳ６０３において、マスタ基地局２０１が属する無線通信システムのコンポーネントキャリアについてデバイス内干渉を検出すると、ユーザ装置１００は、検出した被干渉キャリア及び／又は与干渉キャリアを示すマスタ基地局２０１用の干渉通知を生成する。例えば、マスタ基地局２０１がＬＴＥシステムに属する場合、ユーザ装置１００は、被干渉ＬＴＥコンポーネントキャリア及び／又は与干渉ＬＴＥコンポーネントキャリアを示すマスタ基地局２０１用の干渉通知を生成する。なお、上述したように、マスタ基地局２０１がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみを含むマスタ基地局２０１用の干渉通知を生成してもよい。
【００８１】
また、セカンダリ基地局２０２が属する無線通信システムのコンポーネントキャリアについてデバイス内干渉を検出すると、ユーザ装置１００は、検出した被干渉キャリア及び／又は与干渉キャリアを示すセカンダリ基地局２０２用の干渉通知を生成する。例えば、セカンダリ基地局２０２がＮＲシステムに属する場合、ユーザ装置１００は、被干渉ＮＲコンポーネントキャリア及び／又は与干渉ＮＲコンポーネントキャリアを示すセカンダリ基地局２０２用の干渉通知を生成する。なお、上述したように、セカンダリ基地局２０２がアップリンクコンポーネントキャリアの組み合わせと当該組み合わせによりデバイス内干渉が生じるダウンリンクコンポーネントキャリアとのペアを示す関連付け情報を予め保持している場合、ユーザ装置１００は、被干渉キャリア情報のみを含むセカンダリ基地局２０２用の干渉通知を生成してもよい。
【００８２】
マスタ基地局２０１用の干渉通知とセカンダリ基地局２０２用の干渉通知とを生成した後、ユーザ装置１００は、マスタ基地局２０１用の干渉通知をセカンダリ基地局２０２用の干渉通知内にカプセル化又は含めることによって、個別に生成されたマスタ基地局２０１用の干渉通知とセカンダリ基地局２０２用の干渉通知とをセカンダリ基地局２０２に送信する。
【００８３】
ステップＳ６０４ａにおいて、セカンダリ基地局２０２は、受信したセカンダリ基地局２０２用の干渉通知からマスタ基地局２０１用の干渉通知を抽出し、抽出したマスタ基地局２０１用の干渉通知をマスタ基地局２０１に転送すると共に、セカンダリ基地局２０２用の干渉通知に基づき適切な干渉抑止制御を実行する。
【００８４】
ステップＳ６０４ｂにおいて、マスタ基地局２０１は、受信したマスタ基地局２０１用の干渉情報に基づき適切な干渉抑止制御を実行する。
【００８５】
また、一実施例では、送受信部１２０は、被干渉サービングキャリア又は与干渉サービングキャリアを提供する基地局２０１又は２０２に干渉通知を送信してもよい。具体的には、干渉通知が被干渉サービングキャリアを提供する基地局２０１又は２０２に送信されるとする。このとき、被干渉サービングキャリアがＬＴＥコンポーネントキャリアであって、基地局２０１がＬＴＥシステムに属する場合、送受信部１２０は、干渉通知を基地局２０１に送信する。他方、干渉通知が与干渉サービングキャリアを提供する基地局２０１又は２０２に送信されるとする。このとき、与干渉サービングキャリアがＮＲコンポーネントキャリアであって、基地局２０２がＮＲシステムに属する場合、送受信部１２０は、干渉通知を基地局２０２に送信する。
【００８６】
なお、与干渉アップリンクコンポーネントキャリアの組み合わせがＬＴＥコンポーネントキャリアとＮＲコンポーネントキャリアとの双方を含む場合（図１のケース１及びケース２など）、ユーザ装置１００は、マスタ基地局２０１とセカンダリ基地局２０２の双方に干渉通知を送信してもよいし、マスタ基地局２０１とセカンダリ基地局２０２の何れか一方のみに干渉通知を送信してもよい。
【００８７】
また、一実施例では、送受信部１２０は、指定された基地局２０１及び／又は基地局２０２に干渉通知を送信してもよい。具体的には、干渉通知の送信先は、ＲＲＣ  Ｃｏｎｎｅｃｔｉｏｎ  Ｒｅｃｏｎｆｉｇｕｒａｔｉｏｎ内のＯｔｈｅｒＣｏｎｆｉｇにおいて干渉報告設定を設定する際に、基地局２０１又は２０２によって指定されてもよい。
【００８８】
また、一実施例では、干渉通知は更に、送信電力余力又は送信電力値を含んでもよい。すなわち、デバイス内干渉を検出したとき、ユーザ装置１００は、検出時のパワーヘッドルーム又は実際の送信電力値を基地局２０１及び／又は基地局２０２に送信してもよい。これにより、基地局２０１及び／又は基地局２０２は、デバイス内干渉を発生させた送信電力値を確認することができ、送信電力を下げるようユーザ装置１００を制御することによって、干渉抑止を実現することができる。
【００８９】
また、一実施例では、干渉通知は更に、アップリンクコンポーネントキャリアで使用された無線リソースを含んでもよい。すなわち、デバイス内干渉を検出したとき、ユーザ装置１００は、検出時のアップリンクコンポーネントキャリアで使用された無線リソースを基地局２０１及び／又は基地局２０２に送信してもよい。例えば、当該無線リソースは、干渉を与えた各アップリンクコンポーネントキャリアにおいて使用された物理リソースブロック（ＰＲＢ）、物理リソースエレメント（ＰＲＥ）などであってもよい。これにより、基地局２０１及び／又は基地局２０２は、デバイス内干渉を発生させた各与干渉キャリアの周波数領域を確認することができ、異なる周波数領域を割り当てることによって、干渉抑止を実現することができる。
【００９０】
次に、図１０〜１５を参照して、本発明の一実施例によるシグナリング例を説明する。
【００９１】
ユーザ装置１００は、図１０に示されるような"ＩｎＤｅｖｉｃｅＣｏｅｘＩｎｄｉｃａｔｉｏｎ  ｍｅｓｓａｇｅ"によって、ＬＴＥシステムに属する基地局２０１又は２０２に干渉通知を送信してもよい。ここで、情報要素"ａｆｆｅｃｔｅｄＣａｒｒｉｅｒＦｒｅｑＣｏｍＬｉｓｔ"は与干渉キャリア情報を示し、情報要素"ｖｉｃｔｉｍＣａｒｒｉｅｒＬｉｓｔ"は被干渉キャリア情報を示す。また、情報要素"ｐｏｗｅｒＨｅａｄｒｏｏｍ"は送信電力余力又は送信電力値を示す。
【００９２】
ＬＴＥシステムに属する基地局２０１又は２０２は、図１１に示されるような"ＯｔｈｅｒＣｏｎｆｉｇ"における情報要素"ｉｄｃ−Ｉｎｄｉｃａｔｉｏｎ−ＭＲ−ＤＣ"を設定することによって、ユーザ装置１００にデバイス内干渉を検出させ、干渉通知を報告させるよう設定してもよい。
【００９３】
一方、ユーザ装置１００は、図１２に示されるような"ＩｎＤｅｖｉｃｅＣｏｅｘＩｎｄｉｃａｔｉｏｎ  ｍｅｓｓａｇｅ"によって、ＮＲシステムに属する基地局２０１又は２０２に干渉通知を送信してもよい。ここで、情報要素"ａｆｆｅｃｔｅｄＣａｒｒｉｅｒＦｒｅｑＣｏｍＬｉｓｔＮＲ"は与干渉キャリア情報を示し、情報要素"ｖｉｃｔｉｍＣａｒｒｉｅｒＬｉｓｔＮＲ"は被干渉キャリア情報を示す。また、情報要素"ｐｏｗｅｒＨｅａｄｒｏｏｍ"は送信電力余力又は送信電力値を示す。
【００９４】
ＮＲシステムに属する基地局２０１又は２０２は、図１３に示されるような"ＯｔｈｅｒＣｏｎｆｉｇ"における情報要素"ｉｄｃ−Ｉｎｄｉｃａｔｉｏｎ−ＭＲ−ＤＣ"を設定することによって、ユーザ装置１００にデバイス内干渉を検出させ、干渉通知を報告させるよう設定してもよい。
【００９５】
また、図８〜９に示された実施例について、ユーザ装置１００は、図１４に示されるような"ＩｎＤｅｖｉｃｅＣｏｅｘＩｎｄｉｃａｔｉｏｎ  ｍｅｓｓａｇｅ"によって、ＬＴＥシステムに属する基地局２０１又は２０２に干渉通知を送信してもよい。ここで、情報要素"ａｆｆｅｃｔｅｄＣａｒｒｉｅｒＦｒｅｑＣｏｍＬｉｓｔ"は与干渉キャリア情報を示し、情報要素"ｖｉｃｔｉｍＣａｒｒｉｅｒＬｉｓｔ"は被干渉キャリア情報を示す。また、情報要素"ｐｏｗｅｒＨｅａｄｒｏｏｍ"は送信電力余力又は送信電力値を示す。また、情報要素"ｎｒ−ＩｎｄｅｖｉｃｅＣｏｅｘＩｎｄ−Ｃｏｎｔａｉｎｅｒ"はＮＲシステムに属する基地局２０２又は２０１に転送されるべきＮＲコンポーネントキャリアの被干渉キャリア情報及び／又は与干渉キャリア情報を示す。
【００９６】
一方、ユーザ装置１００は、図１５に示されるような"ＩｎＤｅｖｉｃｅＣｏｅｘＩｎｄｉｃａｔｉｏｎ  ｍｅｓｓａｇｅ"によって、ＮＲシステムに属する基地局２０１又は２０２に干渉通知を送信してもよい。ここで、情報要素"ａｆｆｅｃｔｅｄＣａｒｒｉｅｒＦｒｅｑＣｏｍＬｉｓｔＮＲ"は与干渉キャリア情報を示し、情報要素"ｖｉｃｔｉｍＣａｒｒｉｅｒＬｉｓｔＮＲ"は被干渉キャリア情報を示す。また、情報要素"ｐｏｗｅｒＨｅａｄｒｏｏｍ"は送信電力余力又は送信電力値を示す。また、情報要素"ｅｕｔｒａ−ＩｎｄｅｖｉｃｅＣｏｅｘＩｎｄ−Ｃｏｎｔａｉｎｅｒ"はＬＴＥシステムに属する基地局２０２又は２０１に転送されるべきＮＲコンポーネントキャリアの被干渉キャリア情報及び／又は与干渉キャリア情報を示す。
【００９７】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００９８】
例えば、本発明の一実施の形態におけるユーザ装置１００及び基地局２００は、本発明の無線通信方法の処理を行うコンピュータとして機能してもよい。図１６は、本発明の一実施例によるユーザ装置１００及び基地局２００のハードウェア構成を示すブロック図である。上述のユーザ装置１００及び基地局２００は、物理的には、プロセッサ１００１、メモリ１００２、ストレージ１００３、通信装置１００４、入力装置１００５、出力装置１００６、バス１００７などを含むコンピュータ装置として構成されてもよい。
【００９９】
なお、以下の説明では、「装置」という文言は、回路、デバイス、ユニットなどに読み替えることができる。ユーザ装置１００及び基地局２００のハードウェア構成は、図に示した各装置を１つ又は複数含むように構成されてもよいし、一部の装置を含まずに構成されてもよい。
【０１００】
ユーザ装置１００及び基地局２００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１０１】
プロセッサ１００１は、例えば、オペレーティングシステムを動作させてコンピュータ全体を制御する。プロセッサ１００１は、周辺装置とのインタフェース、制御装置、演算装置、レジスタなどを含む中央処理装置（ＣＰＵ：Central  Processing  Unit）で構成されてもよい。例えば、上述の各構成要素は、プロセッサ１００１で実現されてもよい。
【０１０２】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置１００及び基地局２００の各構成要素による処理は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１０３】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０１０４】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１０５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の各構成要素は、通信装置１００４で実現されてもよい。
【０１０６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１０７】
また、プロセッサ１００１やメモリ１００２などの各装置は、情報を通信するためのバス１００７で接続される。バス１００７は、単一のバスで構成されてもよいし、装置間で異なるバスで構成されてもよい。
【０１０８】
また、ユーザ装置１００及び基地局２００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０９】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１１０】
本明細書で説明した各態様／実施例は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１１１】
本明細書で説明した各態様／実施例の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１２】
本明細書において基地局２００によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、MMEまたはS-GWなどが考えられるが、これらに限られない)によって行われ得ることは明らかである。上記において基地局以外の他のネットワークノードが１つである場合を例示したが、複数の他のネットワークノードの組み合わせ(例えば、MMEおよびS-GW)であってもよい。
【０１１３】
情報等は、上位レイヤ(または下位レイヤ)から下位レイヤ(または上位レイヤ)へ出力され得る。複数のネットワークノードを介して入出力されてもよい。
【０１１４】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１１５】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１１６】
本明細書で説明した各態様／実施例は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１１８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１１９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１２０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２１】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０１２２】
本明細書で使用する「システム」および「ネットワーク」という用語は、互換的に使用される。
【０１２３】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１２４】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０１２５】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０１２６】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２７】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１２８】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１２９】
参照信号は、ＲＳ（Reference Signal）と略称することもでき、適用される標準によってパイロット（Pilot）と呼ばれてもよい。
【０１３０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３１】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１３２】
上記の各装置の構成における「手段」を、「部」、「回路」、「デバイス」等に置き換えてもよい。
【０１３３】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（or）」は、排他的論理和ではないことが意図される。
【０１３４】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅や送信電力等）を割り当てるスケジューリングを行う。スケジューリングの最小時間単位をＴＴＩ（Ｔｒａｎｓｍｉｓｓｉｏｎ  Ｔｉｍｅ  Ｉｎｔｅｒｖａｌ）と呼んでもよい。例えば、1サブフレームをＴＴＩと呼んでもよいし、複数の連続したサブフレームをＴＴＩと呼んでもよいし、１スロットをＴＴＩと呼んでもよい。リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１３５】
以上、本発明の実施例について詳述したが、本発明は上述した特定の実施形態に限定されるものではなく、特許請求の範囲に記載された本発明の要旨の範囲内において、種々の変形・変更が可能である。
【０１３６】
本出願は、２０１７年６月１６日に出願した日本国特許出願２０１７−１１９１３４号の優先権の利益に基づき、これを主張するものであり、２０１７−１１９１３４号の全内容を本出願に援用する。
【符号の説明】
【０１３７】
１００  ユーザ装置
１１０  干渉通知生成部
１２０  送受信部
２０１，２０２  基地局
【図１】
2018230361.tif 000003
【図２】
2018230361.tif 000004
【図３】
2018230361.tif 000005
【図４】
2018230361.tif 000006
【図５】
2018230361.tif 000007
【図６】
2018230361.tif 000008
【図７】
2018230361.tif 000009
【図８】
2018230361.tif 000010
【図９】
2018230361.tif 000011
【図１０】
2018230361.tif 000012
【図１１】
2018230361.tif 000013
【図１２】
2018230361.tif 000014
【図１３】
2018230361.tif 000015
【図１４】
2018230361.tif 000016
【図１５】
2018230361.tif 000017
【図１６】
2018230361.tif 000018
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
第１の無線通信システムと第２の無線通信システムとの間のデュアルコネクティビティにおいて、デバイス内干渉を受けるサービングキャリアを示す被干渉キャリア情報を含む干渉通知を生成する干渉通知生成部と、
前記干渉通知を基地局に送信する送受信部と、
を有するユーザ装置。
【請求項２】
前記送受信部は、前記干渉通知を前記デュアルコネクティビティにおけるマスタ基地局に送信する、請求項１記載のユーザ装置。
【請求項３】
前記送受信部は、前記デュアルコネクティビティにおけるマスタ基地局の無線通信システムに関する被干渉キャリア情報及びセカンダリ基地局の無線通信システムに関する被干渉キャリア情報を示す干渉通知を前記マスタ基地局に送信する、請求項１記載のユーザ装置。
【請求項４】
前記送受信部は、前記デュアルコネクティビティにおける一方の基地局の無線通信システムに関する被干渉キャリア情報を示す干渉通知に、前記デュアルコネクティビティにおける他方の基地局の無線通信システムに関する被干渉キャリア情報を示す干渉通知を含めることによって、前記一方の基地局の干渉通知と前記他方の基地局の干渉通知とを前記一方の基地局に送信する、請求項１記載のユーザ装置。
【請求項５】
前記送受信部は、干渉を受けるサービングキャリア又は干渉を与えるサービングキャリアを提供する基地局に前記干渉通知を送信する、請求項１記載のユーザ装置。
【請求項６】
前記被干渉キャリア情報は、前記干渉を受けるサービングキャリアのセル識別情報を含む、請求項１乃至５何れか一項記載のユーザ装置。
【請求項７】
前記干渉通知は更に、前記干渉を与えるシステムを示す情報を含む、請求項１乃至６何れか一項記載のユーザ装置。
【国際調査報告】
2018230361.tif 000019
2018230361.tif 000020
2018230361.tif 000021